(57)【要約】【課題】不正開封防止のため、開封確認ができると共に開口側からも充分な開口強度を保持してスライダーの操作以外の方法では開口できないチャックを提供することにある。【解決手段】相対向するフィルムの表面に形成された一対の雄鈎爪、雌鈎爪よりなるプラスチックチャックにおいて、何れか一方の鈎爪には開口側にフランジが形成されず、他方の鈎爪の開口側には前記一方の鈎爪の開口側方向に屈曲した覆い片が形成されていて、チャックが契合された状態では前記覆い片が前記一方の鈎爪の開口側に密着するように構成されていることを特徴とする。【選択図】　　　　図１
2004026193.tif 000002
【特許請求の範囲】
【請求項１】
相対向するフィルムの表面に形成された一対の雄鈎爪、雌鈎爪よりなるプラスチックチャックにおいて、何れか一方の鈎爪には開口側にフランジが形成されず、他方の鈎爪の開口側には前記一方の鈎爪の開口側方向に屈曲した覆い片が形成されていて、チャックが契合された状態では前記覆い片が前記一方の鈎爪の開口側に密着するように構成されていることを特徴とするプラスチックチャック。
【請求項２】
覆い片の一部に凹溝が形成されていることを特徴とする請求項１に記載のプラスチックチャック。
【請求項３】
一方の鈎爪の開口側には覆い片の先端が係合する段部又は凹部からなる係合部が形成されていることを特徴とする請求項１又は２に記載のプラスチックチャック。
【請求項４】
覆い片と一方の鈎爪の開口側頂部とが溶着されていることを特徴とする請求項１〜３の何れかに記載のプラスチックチャック。
【請求項５】
覆い片が雄鈎爪の開口側に形成されていることを特徴とする請求項１〜４の何れかに記載のプラスチックチャック。
【請求項６】
雌鈎爪の内容物側と開口側の二つの雌鈎部のうち、内容物側雌鈎部の基部が、雌鈎爪の基部よりも内容物側に位置していることを特徴とする請求項１〜５の何れかに記載のプラスチックチャック。
【請求項７】
内容物側と開口側の二つの雄鈎部で構成されている雄鈎爪の内容物側の基部が雄鈎爪の内容物側雄鈎部の先端部よりも内容物側に位置していることを特徴とする請求項１〜５の何れかに記載のプラスチックチャック。
【請求項８】
容器の開閉用具として請求項１〜７のいずれか１項に記載されたプラスチックチャックを備えていることを特徴とする袋体。
【発明の詳細な説明】
【０００１】
【発明の属する技術分野】
本発明は、食品，薬品，電子部品等の包装容器に使用されるプラスチックチャックと該チャック付きの袋体に係り、特に不正開封を防止するプラスチックチャック及び袋体に関する。
【０００２】
【従来の技術】
相対向するプラスチックフィルムの表面に雄雌一対の鉤爪を形成してなるプラスチックチャックをスライダーで開閉するスライダー付きプラスチックチャックにおいては、スライダーは外側と内側のガイドで構成されており，内側のガイドがプラスチックチャックの雄雌の鉤爪の間に挿入された構造を有し，内側ガイドがチャックの鉤爪を開かせ、外側ガイドがチャックの鉤爪を閉じる構造のもの（例えば、特開平８−２１４９２０号公報）が通常使用されている。
【０００３】
スライダー付きプラスチックチャックを備えた袋体が不正に開封されるのを防止するために不正開封防止手段を設ける必要がある場合があり、図９〜図１４は従来の開封防止手段を示している。図９は袋９−３にスライダー９−１で開閉されるチャック９−２を備えた袋体の上部をミシン目９−５が付されたカバーフィルム９−４で覆ったものであって、スライダーとチャック部分全体が覆われており、図１０は図９のＡ〜Ａ’断面を示している。袋体の使用に際しては、ミシン目９−５から上部を切り取った後にスライダーを開閉する方法であり、構成的には簡単で操作性もよいが、外観的に好ましくないことと生産性に劣る欠点がある。
【０００４】
図１１に示す手段は、袋９−３にスライダー９−１で開閉されるチャック９−２を備えた袋体の内部にミシン目１１−５が付された仕切フィルム１１−４を設けたものであり、図１２は図１１のＢ〜Ｂ’断面を示している。使用に際しては、スライダーでチャックを開いた後、仕切フィルム１１−４をミシン目１１−５から開いて開封する方法であり、外観と生産性はよいが、内容物が粉体等の微粒体である場合には、仕切フィルム部分に微粒体が詰まってスム−ズな排出ができないという問題がある。
【０００５】
図１３に示す手段は、袋９−３にチャック９−２とスライダー９−１を取り付けてスライダーを閉止位置にした状態でチャックの開口側のフランジ部をスポットシール１３−１し、開封に際してはスライダーでスポットシール部分を切り取る方法である。
【０００６】
図１４に示す手段は、袋９−３に取り付けたチャック９−２を閉止位置にした状態で開口側フランジ部にミシン目１４−５等を設け、チャック上部１４−４の一部を切り欠いてこの部分にスライダー９−１を取り付け、開封に際してはミシン目１４−５からチャック上部１４−４を切り取る方法である。
【０００７】
図１１と図１２に示す方法は密閉ミシン目を採用することによって袋体の密閉性を確保できる利点が有るが、図１３と図１４に示す方法では袋体の密閉性はチャックの密閉性に依存するため、レトルト食品など長期保存を前提にした袋体には使用できない。
【０００８】
前記のような従来の不正開封防止手段の欠点を解消するために、本発明者は、不正開封防止手段を備えた高気密性スライダー付きプラスチックチャック及び該チャック付き袋体を先に提案した（特願ＰＣＴ　ＪＰ０１／０９８６７）。この構成は、プラスチックフィルムの表面に形成された図１５の如きチャックであり、チャックの開口側のフランジに設けられた案内用突起Ｇ−１、Ｇ−２が易剥離プラスチック層Ｅを介して接着されているが、図１６に示すようにスライダーで開封することができる。図１６において、１６−１は内側ガイド、１６−２は外側ガイドである。
【０００９】
前記のような従来の不正開封防止手段や先に本発明者が提案した不正開封防止手段においては、チャックそのものが図１７に示すように、チャックの開口側のフランジ部Ｆを開くことを前提にした不正開封防止方法であり，スライダー閉止時におけるチャックの耐開封性は考慮されていない。
【００１０】
一般に、プラスチックチャックは内容物側からの強度は強く、開口側からは容易に開くことができる構造である。例えば、我々の提案に係る特開２０００−２６２３０７に示すものにおいては、内容物側は十分に強い開口強度をもちながら開口側からは容易に開くことできることが特徴となっている。
【００１１】
しかし、不正開封防止のため、開封確認ができると共に開口側からも充分な開口強度を保持してスライダーによる操作以外の方法では開口できないようなチャックが求められている。
【００１２】
【発明が解決しようとする課題】
本発明の目的は、従来のプラスチックチャックの欠点を解消し、不正開封防止のため、開封確認ができると共に開口側からも充分な開口強度を保持してスライダーの操作以外の方法では開口できないチャックを提供することにある。
【００１３】
【課題を解決するための手段】
本発明のプラスチックチャックは、相対向するフィルムの表面に形成された一対の雄鈎爪、雌鈎爪よりなるプラスチックチャックにおいて、何れか一方の鈎爪には開口側にフランジが形成されず、他方の鈎爪の開口側には前記一方の鈎爪の開口側方向に屈曲した覆い片が形成されていて、チャックが契合された状態では前記覆い片が前記一方の鈎爪の開口側に密着するように構成されていることを特徴とする。
【００１４】
この場合、前記覆い片の一部に凹溝を形成することができ（請求項２）、また、一方の鈎爪の開口側には覆い片の先端が係合する段部又は凹部からなる係合部を設けておくことができる（請求項３）。あるいは、覆い片と一方の鈎爪の開口側頂部とを溶着することができる（請求項４）。
【００１５】
前記覆い片は雄雌の鈎爪の形状の差異からして雄鈎爪の開口側に形成するのが望ましく（請求項５）、また、雌鈎爪の内容物側と開口側の二つの雌鈎部のうち、内容物側雌鈎部の基部が、雌鈎爪の基部よりも内容物側に、開口側雌鈎爪の開口側基部が開口側雌鈎部の基部よりも開口側に位置している形態としたり（請求項６）、内容物側と開口側の二つの雄鈎部で構成されている雄鈎爪の内容物側の基部が雄鈎爪の内容物側雄鈎部の先端部よりも内容物側に位置する形態とする（請求項７）ことが望ましい。
【００１６】
本発明の袋体は、容器の開閉用具として請求項１〜７のいずれか１項に記載されたプラスチックチャックを備えていることを特徴とする。
【００１７】
【発明の実施の形態】
【発明の詳細なる説明】
本発明の実施の形態を図１〜図８に基づいて説明する。
図１に示すように、相対向するフィルムの表面に形成された一対の雄鈎爪１、雌鈎爪２からなるプラスチックチャックにおいて、雄鈎爪１は内容物側雄鈎部１−１と開口側雄鈎部１−２とからなり、雌鈎爪２は内容物側雌鈎部２−２と開口側雌鈎部２−２とからなっている。
【００１８】
前記雌鈎爪２の開口側にはフランジが形成されず、前記雄鈎爪１の開口側には前記雌鈎爪２の開口側方向に屈曲した覆い片１−４が形成されており、チャックを契合した際に、前記雌鈎爪２の開口側に雄鈎爪１の前記覆い片１−４が密着するようになっている。また、雌鈎爪２の開口側の頂部には覆い片１−４の先端部が係合する段部２−３又は凹部２−４（図２）からなる係合部が形成されており、チャックが閉止した状態でチャックの開口側からチャックを開口しようとすると覆い片１−４を外すのが極めて困難なようになっている。
【００１９】
仮に覆い片１−４を外すことができた場合でも覆い片１−４を矢示Ｄの方向に引っ張ると、雄鈎爪１は矢示Ｅの方向に回転するためチャックの契合が進み、いよいよチャックが外れなくなる。覆い片１−４を必要以上に引っ張ると雄鈎爪１の開口側に有する覆い片１−４の凹溝１−５から切れてしまう。この場合、雄鈎爪１の開口側雄鈎部１−２の破壊強度を凹溝１−５の引裂き強度よりも強くする必要がある。
【００２０】
図３、図４は本発明のチャックにスライダー９−１を装着した袋体の透視図を示す。チャックの雌鈎爪２の開口側頂部と雄鈎爪１の開口側に有する覆い片１−４を溶着することができる。この溶着方法は図７に例示したように、覆い片１−４の端部を全面的に溶着１−４−１する。この結果、スライダーでチャックを開口すると図８に示すように、凹溝１−５からチャックが裂けることで開口が可能となる。
【００２１】
この裂け目の存在はチャックが開封されたことを示す痕跡となるが、この状態においてもスライダーで閉止されればチャックの開口側からは開封できない。これに対して図５では覆い片１−４の端部を間欠的にＵ字形１−４−２に深く凹んだ形状に溶着する結果、溶着部周囲の覆い片の厚みが薄くなることによってこの薄い部分が切れ易くなるため、スライダーでチャックを開口すると図６で示すように、溶着部の周囲から覆い片の一部分が切り取られることでチャックの開口が可能となる。
【００２２】
この切り取り跡の存在はチャックが開封されたことを示す証拠となるが、この状態においてもスライダーで閉止されればチャックの開口側からは開封できない。なお、間欠的に深く凹ませる部分の形状はＵ字形のみに限定されるものではなく、例えば、長方形、台形、楔形など切れ易い形状であれば如何なる形状でも用いることができる。
【００２３】
内容物側鈎部は外部から袋を圧迫したり、内容物側鈎部を引っ張ったりした際に開口しないことが求められる。このためには内容物側鈎部を充分に大きくして爪に角度を付ければよいが、爪が大きすぎると袋の製造時に袋の端部Ｈにおけるチャックの潰しが困難になるし、スライダーの形状も大きくなり、外観が悪化するといった問題点がある。
【００２４】
これらの問題点を解決するために、本発明者が特開２０００−２６２３０７号公報で開示した構成を採用することが望ましい。即ち、この提案に係るものでは、図２及び図３に示すように、雌鈎爪２の内容物側と開口側の二つの雌鈎部２−１、２−２のうち、内容物側雌鈎部２−１の基部Ｂ１が、雌鈎爪２の基部Ｂ２よりも内容物側に位置するようにしたり、内容物側と開口側の二つの雄鈎部１−１、１−２で構成されている雄鈎爪１の内容物側の基部Ｂ５が雄鈎爪１の内容物側雄鈎部１−１の先端部Ｂ１１よりも内容物側に位置するように構成するものであり、このような構成を前述の開口側鉤爪と併用すれば内容物側からも開口部側からも開口できないチャックを提供することができる。
【００２５】
さらに、本発明のプラスチックチャックを本発明者が既にＰＣＴ／ＪＰ０１／０７６４８で開示した図１８の如きチャックの開口側に適用すると密閉性を保ちながら外部から開封ができないスライダー付チャック袋体を経済的に製造することができる。
【００２６】
実施例１
図３に示すように、雌鈎爪２の巾Ａが１．４５ｍｍ、高さＢが１．３０ｍｍ、内容物側の雌鉤部基部Ｂ１が雌鈎爪２の基部Ｂ２よりも距離Ｘ（０．１ｍｍ）だけ内容物側に位置するようにし、雌鈎爪２と雌鈎爪２方向に屈曲した覆い片１−４と雄鈎爪１の高さＣが共に１．２０ｍｍであるチャックを頂部に装着し、該チャックに特開２００２−５８５０９で本発明者が開示したスライダーを取り付けた高さ１７０ｍｍ、巾２１０ｍｍの図５に示すような袋体を作成し、スライダーを用いてチャックを開閉したところ、スム−スに開閉することができた。
【００２７】
スライダーを用いて契合した部分を開口側から開口してみたが開口することができなかった。スクリュードライバ−を使用して無理に開口すると外面に傷が付くとともに雌鈎爪方向に屈曲した覆い片１−４が変形したため、明らかに開口した痕跡を残した。内容物側を引っ張って無理に開口すると内容物側の雌鈎爪が破損してチャックを再閉鎖することができなくなり、開口の痕跡を残した。しかし粘着剤などを使用してチャック部分を接着すると外見からは破損個所を明らかに判別できなかったがスライダーで開口することがほとんどできなくなり、このため不正開封を防止できると判断した。
【００２８】
実施例２
実施例１と同様の袋体を使用してスライダーで袋体のチャックを全閉し、雌鈎爪方向に屈曲した覆い片の端部と雌鈎爪頂部を、上底と下底がそれぞれ０．３ｍｍと０．８ｍｍで高さが１．０ｍｍの雌鈎爪方向が下底となる台形にチャックと直角の方向に高さ方向をむけて覆い片部分を貫通する程度に、閉止状態のチャック部分をスライダーの間際に一個所、その他は等間隔で５個所の計６個所を点シ−ルをした。この状態でスライダーを開口方向に移動させると、シ−ル部分が切れて開封することができた。シ−ル部分の状態から明らかに開封の痕跡が残った。内容物側を引っ張って無理に開口すると内容物側の雌鈎爪が破損してチャックが急激に開口するため、反動でシ−ル部分が切れて開封の痕跡が残った。このため不正開封の防止と不正開封の痕跡を残せると判断した。
【００２９】
【発明の効果】
本発明によれば、不正開封防止のため、開封確認ができると共に開口側からも充分な開口強度を保持してスライダーの操作以外の方法では開口できないチャック及び袋体を提供することができる。
【図面の簡単な説明】
【図１】本発明に係るプラスチックチャックの実施例を示す要部の断面図である。
【図２】要部の拡大断面図である。
【図３】開口状態を示す雄鈎爪と雌鈎爪の断面図である。
【図４】袋体の断面図である。
【図５】袋体の一部除去した斜視図である。
【図６】スライダーによらないで無理に開口した場合の破損状態を示す断面図である。
【図７】覆い片の溶着状態を示す斜視図である。
【図８】図７に示す形態のチャックをスライダーによらないで無理に開口した場合の破損状態を示す断面図である。
【図９】従来の開封防止手段を示す袋体の一部除去した斜視図である。
【図１０】図９の断面図である。
【図１１】従来の開封防止手段の他の例を示す袋体の一部除去した斜視図である。
【図１２】図１１の断面図である。
【図１３】従来の開封防止手段の更に他の例を示す袋体の斜視図である。
【図１４】ミシン目を入れる従来の開封防止手段を示す袋体の斜視図である。
【図１５】我々が先に提案した不正開封防止手段を示す要部の断面図である。
【図１６】我々が先に提案したプラスチックチャック及びスライダーを示す要部の断面図である。
【図１７】プラスチックチャックの基本形態としてフランジを有することを示す断面図である。
【図１８】我々が先に提案した不正開封防止手段の他の例を示す要部の断面図である。
【符号の説明】
１　　　雄鈎爪
１−１　内容物側雄鈎部
１−２　開口側雄鈎部
１−４　覆い片
１−５　凹溝
２　　　雌鈎爪
２−１　内容物側雌鈎部
２−２　開口側雌鈎部
２−３　段部
２−４　凹部
【図１】
2004026193.tif 000003
【図２】
2004026193.tif 000004
【図３】
2004026193.tif 000005
【図４】
2004026193.tif 000006
【図５】
2004026193.tif 000007
【図６】
2004026193.tif 000008
【図７】
2004026193.tif 000009
【図８】
2004026193.tif 000010
【図９】
2004026193.tif 000011
【図１０】
2004026193.tif 000012
【図１１】
2004026193.tif 000013
【図１２】
2004026193.tif 000014
【図１３】
2004026193.tif 000015
【図１４】
2004026193.tif 000016
【図１５】
2004026193.tif 000017
【図１６】
2004026193.tif 000018
【図１７】
2004026193.tif 000019
【図１８】
2004026193.tif 000020